(57)【要約】【課題】大型化したカメラモジュールを実装した場合でも、キー側筐体部の厚みの増加やモニター画面の大型化の阻害を防止できるカメラ付き携帯端末を提供する。【解決手段】操作キーが配設されたキー側筐体部１０、モニター画面が配設されたモニター側筐体部２０および両者をつながるヒンジ筐体部３０の３つの部分に大別され、キー側筐体部１０およびモニター側筐体部２０の厚み方向に跨るようにカメラモジュール１が実装されている。すなわち、キー側筐体部１０の長手方向の一方の側面に、カメラモジュール１への光の導入口となるカメラウインドウ２が設けられ、一側面が、カメラウインドウ２に対面するようにカメラモジュール１がキー側筐体部１０の内部に実装され、その光軸ＬＸの方向はキー側筐体部１０の長手方向とほぼ一致している。【選択図】図１
2006173959.tif 000002
【特許請求の範囲】
【請求項１】
操作キーが配設されたキー側筐体部、
モニター画面が配設されたモニター側筐体部、
および前記キー側筐体部およびモニター側筐体部をつなげるヒンジ筐体部を備え、
前記キー側筐体部は、その長手方向の一方の端縁部の内部に、前記キー側筐体部および前記モニター側筐体部の厚み方向に跨るように実装されたカメラモジュールと、
前記キー側筐体部の長手方向の前記一方の端縁部の側面に設けられたカメラウインドウとを有し、
前記カメラモジュールの光軸方向は前記キー側筐体部の長手方向とほぼ一致する、カメラ付き携帯端末。
【請求項２】
前記キー側筐体部の長手方向の前記一方の端縁部は、他方の端縁部に比べて部分的に厚みが厚く構成され、前記カメラウインドウが設けられた側面の平面視形状は凸型形状を有し、この凸型形状となって厚みが厚くなった凸型部分に前記カメラモジュールが収納され、
前記凸型部分のうち突出部分の幅方向両側面に前記ヒンジ筐体部が係合し、
前記ヒンジ筐体部の前記突出部分と係合する側とは反対側に、前記モニター側筐体部が係合し、
前記ヒンジ筐体部および前記モニター側筐体部の厚みは、前記突出部分の厚み以下となるように構成され、
前記ヒンジ筐体部は、前記突出部分の前記幅方向両側面に垂直な第１の回動軸の周りに回動し、
前記モニター側筐体部は、その幅方向の中心軸に一致する第２の回動軸の周りに独立して回動する、請求項１記載のカメラ付き携帯端末。
【請求項３】
前記第１の回動軸は、前記突出部分の前記幅方向両側面からそれぞれ垂直に突出する２つのヒンジ軸によって構成され、
前記ヒンジ筐体部は、
前記２つのヒンジ軸に係合するように並行に設けられた２つの腕部と、該２つの腕部に対して垂直に設けられた胴体部とで構成され、
前記モニター側筐体部と前記キー側筐体部とが折り畳まれた状態で前記胴体部と前記突出部分とが厚み方向に重ならず、前記モニター側筐体部を前記第１の回動軸の周りに回動させる際には、前記胴体部と前記突出部分とが干渉しないように構成される、請求項２記載のカメラ付き携帯端末。
【発明の詳細な説明】
【技術分野】
【０００１】
本発明はカメラ付き携帯端末に関し、特に２軸ヒンジ動作が可能なカメラ付き携帯端末に関する。
【背景技術】
【０００２】
現在の一般的な携帯電話機の外形寸法は、長さ１０４ｍｍ、幅５０ｍｍ、厚さ２４ｍｍ程度であるが、携帯性を向上させるために、さらに小型化、薄型化に向けた開発が進められている。
【０００３】
一方、携帯電話機の多機能化に伴い、携帯電話機にカメラ機能を付与することが主流となっているが、撮像素子の画素数の増大や、オートフォーカス機能、光学ズーム機能等を採用することで携帯電話機に実装されるカメラモジュールは大型化する傾向にある。
【０００４】
例えば、撮像素子にＣＭＯＳ（Complementary MOS）方式を採用する３０万画素のカメラモジュールのサイズの一例は、７ｍｍ×７ｍｍ×５．１ｍｍであるが、撮像素子にＣＣＤ（Charge Coupled Device）方式を採用し、オートフォーカス機能を有した２００万画素のカメラモジュールのサイズの一例は、１５．８ｍｍ×１５．８ｍｍ×９．５ｍｍであり、また、撮像素子にＣＣＤ方式を採用し、光学ズーム機能を有した２００万画素のカメラモジュールのサイズの一例は、９．２ｍｍ×１９．０ｍｍ×１９．０ｍｍである。
【０００５】
このように大型化が進むカメラモジュールを、小型化が進みつつある携帯電話機に実装するために、例えば特許文献１では、キー側筐体部とモニター側筐体部とを繋ぐヒンジ（開閉軸）の軸内に撮影レンズを収納した構成が開示されている。
【０００６】
【特許文献１】特開２００１−１６９１６６号公報（図１〜３）
【発明の開示】
【発明が解決しようとする課題】
【０００７】
上述した特許文献１の構成では、ヒンジの軸内に撮影レンズを収納し、その光軸はヒンジの軸に沿った方向、すなわち携帯電話機の幅方向に一致する構成となっているが、撮影レンズ以外のカメラモジュールはキー側筐体部内だけに実装されていると考えられ、カメラモジュールが大型化すると、キー側筐体部の厚みが増える可能性を有している。また、カメラモジュールをモニター側筐体部内だけに実装するとモニター画面の大型化を阻害することにつながる。
【０００８】
本発明は上記のような問題点を解消するためになされたもので、大型化したカメラモジュールを実装した場合でも、キー側筐体部の厚みの増加やモニター画面の大型化の阻害を防止できるカメラ付き携帯端末を提供することを目的とする。
【課題を解決するための手段】
【０００９】
本発明に係る請求項１記載のカメラ付き携帯端末は、操作キーが配設されたキー側筐体部、モニター画面が配設されたモニター側筐体部、および前記キー側筐体部およびモニター側筐体部をつなげるヒンジ筐体部を備え、前記キー側筐体部は、その長手方向の一方の端縁部の内部に、前記キー側筐体部および前記モニター側筐体部の厚み方向に跨るように実装されたカメラモジュールと、前記キー側筐体部の長手方向の前記一方の端縁部の側面に設けられたカメラウインドウとを有し、前記カメラモジュールの光軸方向は前記キー側筐体部の長手方向とほぼ一致する。
【発明の効果】
【００１０】
本発明に係る請求項１記載のカメラ付き携帯端末によれば、キー側筐体部の長手方向の一方の端縁部の内部に、キー側筐体部およびモニター側筐体部の厚み方向に跨るように実装されたカメラモジュールを有し、カメラモジュールの光軸方向がキー側筐体部の長手方向とほぼするように構成されているので、カメラモジュールの収納スペースを確保することが容易であり、カメラモジュールの機能が向上し、カメラモジュールの光軸に垂直な面の面積が広くなったような場合でも、カメラ付き携帯端末全体の厚さを大幅に増加することなく、収納することが可能となる。また、カメラモジュールは、その光軸方向がキー側筐体部の長手方向とほぼ一致するように配置されているので、カメラモジュールが大型化しても、モニター画面の配設空間を制限することが抑制されるので、モニター画面の大型化が顕著に阻害されることがない。また、キー側筐体部の長手方向の一方の端縁部の側面にカメラウインドウが設けられているので、折り畳んだ状態からモニター側筐体部をヒンジ筐体部の第１の回動軸の周りに９０°回動させて開いた状態で撮影が可能となり、撮影開始までの操作が容易となる。
【発明を実施するための最良の形態】
【００１１】
＜実施の形態＞
本発明に係るカメラ付き携帯端末の実施の形態について、図１〜図７を用いて説明する。
【００１２】
＜Ａ．全体構成＞
図１にカメラ付き携帯端末１００の折り畳んだ状態での外観斜視図を示す。なお、図１に示すようにカメラ付き携帯端末１００の平面視形状は矩形であり、長辺に沿った方向を長手方向、短辺に沿った方向を幅方向、両方向に垂直な方向を厚み方向と呼称する。
【００１３】
図１に示すようにカメラ付き携帯端末１００は、操作キーが配設されたキー側筐体部１０、モニター画面が配設されたモニター側筐体部２０および両者をつながるヒンジ筐体部３０の３つの部分に大別され、キー側筐体部１０およびモニター側筐体部２０の厚み方向に跨るようにカメラモジュール１が実装されている。
【００１４】
すなわち、キー側筐体部１０の長手方向の一方の側面に、カメラモジュール１への光の導入口となるカメラウインドウ２が設けられ、一側面が、カメラウインドウ２に対面するようにカメラモジュール１がキー側筐体部１０の内部に実装され、その光軸ＬＸの方向はキー側筐体部１０の長手方向とほぼ一致している。なお、カメラウインドウ２が設けられた側をキー側筐体部１０の先端部と呼称する。
【００１５】
ここで、カメラモジュール１が実装されているキー側筐体部１０の長手方向の一方の端縁部は、他方の端縁部に比べて部分的に厚みが厚く構成され、カメラウインドウ２が設けられた側面の平面視形状は凸型形状となっている。
【００１６】
この凸型形状となって厚みが厚くなった凸型部分にカメラモジュール１が収納され、凸型部分のうち突出部分ＤＰの幅方向両側面にはヒンジ筐体部３０が係合する構成となっている。また、ヒンジ筐体部３０の突出部分ＤＰと係合する側とは反対側には、モニター側筐体部２０が係合する構成となっている。
【００１７】
そして、ヒンジ筐体部３０の厚みは突出部分ＤＰの厚みＴ１と同じか、それ以下となるように構成され、また、モニター側筐体部２０の厚みとも同じになるように構成されているので、カメラ付き携帯端末１００の折り畳んだ状態の厚みは、キー側筐体部１０の厚みとモニター側筐体部２０の厚みとの合計の厚みに等しくなる。
【００１８】
ここで、カメラ付き携帯端末１００を用いてカメラ撮影を行う場合の使用例について図２を用いて説明する。
【００１９】
図２は、撮影者が自分以外の被写体（風景、人物）を撮影する場合の使用状態を示しており、図１に示した折り畳んだ状態からモニター側筐体部２０をヒンジ筐体部３０の回動軸ＰＸ１（第１の回動軸）の周りに９０°回動させて開き、キー側筐体部１０のキー操作部４が露出した状態を示している。ここで、ヒンジ筐体部３０は、回動軸ＰＸ１の周りに０〜１６０°の範囲で回動可能に構成されている。なお、回動軸ＰＸ１の周りの回動角度をαと呼称する。
【００２０】
基本的にはモニター側筐体部２０をヒンジ筐体部３０の回動軸ＰＸ１の周りに９０°回動させて開いた状態で撮影可能となり、撮影者はキー側筐体部１０を片手で保持し、カメラウインドウ２（図示せず）を被写体に向けることでＬＣＤ（Liquid Crystal Display）等のモニター画面３に写る被写体の映像を見ながら撮影を行うことができる。なお、撮影のためのシャッターボタンは、キー操作部４に配設された複数の操作キーＫＹの何れかに割り付けても良いし、キー側筐体部１０の何れかの側面に設けても良い。
【００２１】
また、モニター側筐体部２０は、その幅方向の中心軸を回動軸ＰＸ２（第２の回動軸）として、ヒンジ筐体部３０に対して独立して回動可能に構成されている。その回動範囲は図１に示した折り畳んだ状態から、回動軸ＰＸ１の周りに９０°回動させて開いたときの状態を０°とし、その状態から反時計回りに回動する方向を正方向、時計回りに回動する方向を負方向とすると、正方向に１８０°、負方向に９０°の範囲となり、合計で２７０°の回動が可能となっている。なお、回動軸ＰＸ２の周りの回動角度をβと呼称する。
【００２２】
モニター側筐体部２０が回動軸ＰＸ２の周りに回動可能なので、モニター画面３の向きを微調整することができるとともに、撮影者が自身を撮影する場合には、モニター側筐体部２０を回動軸ＰＸ２の周りに正方向に１８０°回動させ、カメラウインドウ２が撮影者の方向を向くようにキー側筐体部１０を保持することで、モニター画面３に写る撮影者自身の映像を見ながら撮影を行うことができる。
【００２３】
このように、回動軸ＰＸ１の周りにヒンジ筐体部３０が回動することに伴ってモニター側筐体部２０が回動し、回動軸ＰＸ１とは垂直に位置する回動軸ＰＸ２の周りにモニター側筐体部２０が独立して回動する動作を２軸ヒンジ動作と呼称する。
【００２４】
＜Ｂ．各部の構成＞
図３にカメラ付き携帯端末１００を各部に分解した状態の分解斜視図を示す。
図３に示すように、キー側筐体部１０の突出部分ＤＰの幅方向のつの側面にはヒンジ筐体部３０が係合するためのヒンジ軸Ｈ１が突出している。２つのヒンジ軸Ｈ１は直線的に配設され、２つのヒンジ軸Ｈ１によって回動軸ＰＸ１が構成される。そして、一方のヒンジ軸Ｈ１は中空となっており、当該ヒンジ軸Ｈ１内を、キー側筐体部１０とモニター側筐体部２０とを電気的に接続する信号ケーブルＳＣが通る構成となっている。なお、他方のヒンジ軸Ｈ１は、モニター側筐体部２０を開いたときの手応え、いわゆるクリック感を出すためのカムやバネなどの機構部材を有している。なお、左右どちらのヒンジ軸Ｈ１に信号ケーブルＳＣを通すかについては特に限定されない。
【００２５】
また、モニター側筐体部２０の長手方向の２つの側面のうち、ヒンジ筐体部３０と係合する側の側面からは、ヒンジ筐体部３０が係合するためのヒンジ軸Ｈ２が突出している。ヒンジ軸Ｈ２は、回動軸ＰＸ２と一致するように配設され、ヒンジ軸Ｈ２によって回動軸ＰＸ２が構成される。ヒンジ軸Ｈ２は中空となっており、当該ヒンジ軸Ｈ２内を、キー側筐体部１０とモニター側筐体部２０とを電気的に接続する信号ケーブルＳＣが通る構成となっている。
【００２６】
ヒンジ筐体部３０は、２つのヒンジ軸Ｈ１に係合するように並行に設けられた２つの腕部ＡＰと、２つの腕部ＡＰに対して垂直に設けられた胴体部ＢＰとで構成され、２つの腕部ＡＰの互いに対面する２つの側面には、それぞれヒンジ軸Ｈ１が挿入される開口部を有し、胴体部ＢＰの２つの腕部ＡＰが設けられた側とは反対側の側面にはヒンジ軸Ｈ２が挿入される開口部を有している。
【００２７】
ヒンジ筐体部３０は、モニター側筐体部２０とキー側筐体部１０とが折り畳まれた状態で胴体部ＢＰと突出部分ＤＰとが厚み方向に重ならず、モニター側筐体部２０を回動軸ＰＸ１の周りに回動させる際には、胴体部ＢＰと突出部分ＤＰとが干渉しないように構成されている。
【００２８】
従って、ヒンジ筐体部３０を設けることで、カメラ付き携帯端末１００の厚さが厚くなることがなく、また、ヒンジ筐体部３０の回動が突出部分ＤＰによって干渉を受けることが防止される。
【００２９】
図４にカメラ付き携帯端末１００を閉じた状態で、モニター側筐体部２０の上部から見た場合の平面図を示す。そして、図５には、図４に示すＢ−Ｂ線での矢視断面図を、図６には、図４に示すＣ−Ｃ線での矢視断面図を示す。
【００３０】
図５はキー側筐体部１０と、その近傍のヒンジ筐体部３０およびモニター側筐体部２０の回動軸ＰＸ２に沿った部分の断面を表しており、キー側筐体部１０を構成するケース１０２の内部一杯にカメラモジュール１が収納されている。ただし、これは最大限の大きさのカメラモジュール１を収納した例を示しており、これよりも小さいカメラモジュールを収納することも可能である。なお、カメラモジュール１の内部構造については本発明との関連が薄いので図示は省略している。
【００３１】
キー側筐体部１０３の先端部に対応するケース１０２の部分には、カメラウインドウ２が嵌め込まれる開口部ＯＰを有し、カメラウインドウ２に対面するカメラモジュール１の表面から内部にかけて図示されないレンズが配設されている。なお、カメラモジュール１のレンズが設けられた面と対面するケース１０２の内面との間には、レンズ配設部の周囲を囲むようにクッション材１０３が配設されている。
【００３２】
クッション材１０３は、例えばウレタンフォーム等の発泡体で構成され、カメラモジュール１とケース１０２との間のスペーサとしてだけでなく、レンズに対する防塵壁としても機能する。
【００３３】
キー側筐体部１０内には、カメラ付き携帯端末１００の種々の機能、例えば電話機としての機能、デジタルカメラとしての機能、コンピュータとしての機能、情報端末としての機能などを実現するための電子回路等を搭載した回路基板１０４も収納され、カメラモジュール１は、信号ケーブルＣ１を通じて回路基板１０４に電気的に接続される。なお、回路基板１０４には、図３を用いて説明した信号ケーブルＳＣも接続されるが、図示は省略している。
【００３４】
また、キー側筐体部１０内には、図３を用いて説明したヒンジ軸Ｈ１を含むヒンジ１０１が配設されているが、ヒンジ１０１の構成については、後に図７を用いてさらに説明する。
【００３５】
ヒンジ筐体部３０を構成するケース３０２の内部には、図３を用いて説明したヒンジ軸Ｈ２に係合するヒンジ３０１が配設され、モニター側筐体部２０を構成するケース２０２の内部には、図３を用いて説明したヒンジ軸Ｈ２を含むヒンジ２０１が配設され、信号ケーブルＳＣがヒンジ軸Ｈ２を通してヒンジ筐体部３０およびモニター側筐体部２０に渡るように配設されている。
【００３６】
なお、信号ケーブルＳＣには極細同軸ケーブルを使用することで、モニター側筐体部２０を回動軸ＰＸ２の周りに２７０°回動させような捻りに対しても耐久性を有することができる。
【００３７】
図６はキー側筐体部１０およびヒンジ筐体部３０の回動軸ＰＸ１に沿った部分の断面を表しており、ヒンジ筐体部３０の２つの腕部ＡＰの断面が表されている。
【００３８】
この例では、図６に向かって左側のヒンジ軸Ｈ１が中空となっており、信号ケーブルＳＣがヒンジ軸Ｈ２を通してヒンジ筐体部３０およびキー側筐体部１０に渡るように配設されている。なお、左右２つのヒンジ軸Ｈ１は、何れもヒンジ筐体部３０内のヒンジ３０１に係合する構成となっている。
【００３９】
＜Ｃ．各ヒンジの構成＞
次に、図７を用いて、キー側筐体部１０、モニター側筐体部２０およびヒンジ筐体部３０の内部にそれぞれ配設されたヒンジ１０１、２０１および３０１の構成についてさらに説明する。
【００４０】
キー側筐体部１０、モニター側筐体部２０およびヒンジ筐体部３０のそれぞれの内部におけるヒンジ１０１、２０１および３０１の配設状態を示す斜視図であり、説明に関係のない構成は便宜的に省略している。
【００４１】
また、図７は、ヒンジ筐体部３０を、回動軸ＰＸ１の周りに最大限度で回動させた状態を示しており、キー側筐体部１０、モニター側筐体部２０およびヒンジ筐体部３０が、ほぼ直列に並んだ状態を示している。
【００４２】
キー側筐体部１０内に配設されたヒンジ１０１は、突出部分ＤＰの幅方向左右外側のケース１０２の内面に固定される２つの固定板１０１１を有している。それぞれの固定板１０１１には貫通穴ＨＬが設けられ、当該貫通穴ＨＬをケース１０２の内面に設けられた突起部等に係合させ、当該突起部を溶融して融着させるか、あるいは接着剤等で接着することでヒンジ１０１を固定することができる。
【００４３】
そして、２つの固定部１０１１からは、それぞれケース１０２の突出部分ＤＰの内面に沿って回動軸ＰＸ１の方向にヒンジ板１０１２が延在し、２つのヒンジ板１０１２は、突出部分ＤＰの内面を半周するように配設された補強フレーム１０１３によって一体的に結合し、ヒンジ１０１の強度を保つ構成となっている。
【００４４】
なお、２つのヒンジ板１０１２のそれぞれを貫通するように、２つのヒンジ軸Ｈ１が係合する。
【００４５】
ヒンジ筐体部３０内に配設されたヒンジ３０１は、キー側筐体部１０の突出部分ＤＰの幅方向の左右側面とそれぞれ並行するように配設された２つのヒンジ板３０１２と、２つのヒンジ板３０１２に対して垂直に設けられた補強フレーム３０１３とを有し、補強フレーム３０１３によって２つのヒンジ板３０１２が一体的に結合し、ヒンジ３０１の強度を保つ構成となっている。
【００４６】
なお、２つのヒンジ板３０１２にはキー側筐体部１０の突出部分ＤＰの幅方向の左右側面から突出する２つのヒンジ軸Ｈ１がそれぞれ係合するが、図７においてはキー側筐体部１０に隠れている。
【００４７】
また、補強フレーム３０１３は、ヒンジ筐体部３０の胴体部ＢＰの２つの腕部ＡＰが突出する側とは反対側の側面の内面に沿って配設され、補強フレーム３０１３を貫通するように、モニター側筐体部２０のヒンジ軸Ｈ２が係合する。
【００４８】
また、補強フレーム３０１３はケース３０２の内面にヒンジ３０１を固定する固定板としても機能し、図示されない部分に、固定のための貫通穴を有している。
【００４９】
なお、図７ではヒンジ軸Ｈ２を貫通して配設される信号配線ＳＣは、一方のヒンジ板３０１２を貫通して腕部ＡＰ内に延在するように示されているが、ヒンジ板３０１２に切り欠きを設け、そこを通る構成としても良いし、ヒンジ板３０１２とケース３０２の内面との隙間を通す構成としても良い。
【００５０】
モニター側筐体部２０内に配設されたヒンジ２０１は、ケース２０２のモニター画面３とは反対側の内面に固定される２つの固定板２０１１を有している。それぞれの固定板２０１１には貫通穴ＨＬが設けられ、当該貫通穴ＨＬをケース１０２の内面に設けられた突起部等に係合させ、当該突起部を溶融して融着させるか、あるいは接着剤等で接着することでヒンジ２０１を固定することができる。
【００５１】
そして、２つの固定部２０１１は、ヒンジ筐体部３０の胴体部ＢＰに対面するモニター側筐体部２０側面の内面に沿って配設されたヒンジ板２０１２に一体的に結合している。
【００５２】
ヒンジ板２０１２にはヒンジ軸Ｈ２が係合し、ヒンジ軸Ｈ２を貫通するように信号配線ＳＣが配設されている。
【００５３】
なお、ヒンジ１０１、２０１、３０１およびヒンジ軸Ｈ１およびＨ２は金属材料で構成しても良いし、樹脂材料で構成しても良いが、図５および図６では金属材料で構成した例を示している。
【００５４】
＜Ｄ．特徴的効果＞
以上説明したように本発明に係るカメラ付き携帯端末１００は、キー側筐体部１０およびモニター側筐体部２０の厚み方向に跨るようにカメラモジュール１を実装する構成となっているので、カメラモジュール１の収納スペースを確保することが容易であり、カメラモジュール１の機能が向上し、カメラモジュール１の光軸に垂直な面の面積が広くなったような場合でも、カメラ付き携帯端末１００全体の厚さを大幅に増加することなく、収納することが可能となる。
【００５５】
また、カメラモジュール１はキー側筐体部１０およびモニター側筐体部２０の厚み方向に跨るように実装されているが、その光軸方向がキー側筐体部１０の長手方向とほぼ一致するように配置されているので、モニター側筐体部２０のモニター画面の大型化を阻害することを抑制できる。
【００５６】
すなわち、カメラモジュール１の大型化は、光軸に垂直な面の寸法の増加として顕著に現れ、光軸方向の寸法には影響が少ない。従って、カメラモジュール１が大型化しても、モニター画面３の配設空間を制限することが抑制されるので、モニター画面３の大型化が顕著に阻害されることがない。
【００５７】
また、キー側筐体部１０の先端部の側面にカメラウインドウ２が設けられているので、折り畳んだ状態からモニター側筐体部２０をヒンジ筐体部３０の回動軸ＰＸ１の周りに９０°回動させて開いた状態で撮影が可能となり、撮影開始までの操作が容易である。
【００５８】
また、２つのヒンジ軸Ｈ１によって構成される回動軸ＰＸ１の周りにヒンジ筐体部３０が回動することに伴ってモニター側筐体部２０が回動し、モニター側筐体部２０とヒンジ筐体部３０とをつながるヒンジ軸Ｈ２によって構成され、回動軸ＰＸ１とは垂直に位置する回動軸ＰＸ２の周りにモニター側筐体部２０が独立して回動する２軸ヒンジ動作が可能なので、モニター側筐体部２０の自由度が高く、撮影者が自身を撮影することも容易である。
【図面の簡単な説明】
【００５９】
【図１】本発明に係るカメラ付き携帯端末の実施の形態の全体構成を示す斜視図である。
【図２】本発明に係る実施の形態のカメラ付き携帯端末を用いてカメラ撮影を行う場合の使用例を説明する斜視図である。
【図３】本発明に係るカメラ付き携帯端末の実施の形態の分解斜視図である。
【図４】本発明に係るカメラ付き携帯端末の実施の形態の構成を示す平面図である。
【図５】本発明に係るカメラ付き携帯端末の実施の形態の構成を示す部分断面図である。
【図６】本発明に係るカメラ付き携帯端末の実施の形態の構成を示す断面図である。
【図７】本発明に係るカメラ付き携帯端末の内部構成を示す斜視図である。
【符号の説明】
【００６０】
１  カメラモジュール、２  カメラウインドウ、１０  キー側筐体部、２０  モニター側筐体部、３０  ヒンジ筐体部、ＤＰ  突出部分  ＬＸ  光軸、ＰＸ１，ＰＸ２  回動軸、Ｈ１，Ｈ２  ヒンジ軸。
【図１】
2006173959.tif 000003
【図２】
2006173959.tif 000004
【図３】
2006173959.tif 000005
【図４】
2006173959.tif 000006
【図５】
2006173959.tif 000007
【図６】
2006173959.tif 000008
【図７】
2006173959.tif 000009